(57)【要約】【課題】  迅速に配管点検ができ、且つ、配管点検の信頼性が高められるマルチエアコンシステム及びマルチエアコンシステムの配管連結点検方法を提供する。【解決手段】  複数の室内機と、該複数の室内機に流れる冷媒を調節する複数の暖房バルブ及び冷房バルブセットを持つ冷暖房切換機と、を含むマルチエアコンシステムにおいて、システムの運転中に前記複数の暖房バルブ及び冷房バルブセットの中で一つの暖房バルブ及び冷房バルブセットの開閉状態を変更させ、この開閉状態の変更に応じて熱交換器側の温度が変わる室内機を確認し、この温度が変わる室内機が前記一つの暖房バルブ及び冷房バルブセットとマッチングされた室内機であれば、前記温度が変わる室内機は前記一つの暖房バルブ及び冷房バルブセットと正常に連結されたと判断する。【選択図】      図１
2006057993.tif 000002
【特許請求の範囲】
【請求項１】
複数の室内機と、該複数の室内機に流れる冷媒を調節する複数の暖房バルブ及び冷房バルブセットを持つ冷暖房切換機とを含むマルチエアコンシステムであって、
システムの運転中に前記複数の暖房バルブ及び冷房バルブセットの中で一つの暖房バルブ及び冷房バルブセットの開閉状態を変更させ、
前記開閉状態の変更に応じて熱交換器側の温度が変わる室内機を確認し、
前記温度が変わる室内機が前記一つの暖房バルブ及び冷房バルブセットとマッチングされた室内機であれば、前記温度が変わる室内機は、前記一つの暖房バルブ及び冷房バルブセットと正常に連結されたものと判断することを特徴とするマルチエアコンシステムの配管連結点検方法。
【請求項２】
前記温度が変わる室内機が前記一つの暖房バルブ及び冷房バルブセットとマッチングされた室内機でなければ、前記温度が変わる室内機は、前記一つの暖房バルブ及び冷房バルブセットと誤って連結されたものと判断することを特徴とする請求項１に記載のマルチエアコンシステムの配管連結点検方法。
【請求項３】
複数の室内機と、室外機から伝えられた冷媒を前記室内機に供給したり、前記室内機から排出された冷媒を前記室外機に送る複数の冷媒配管と、前記冷媒配管の流れを調節し、前記室内機の冷房運転時に開く複数の冷房バルブ及び前記室内機の暖房運転時に開く複数の暖房バルブを持つ冷暖房切換機とを含むマルチエアコンシステムの配管連結点検方法であって、
前記複数の暖房バルブを全て閉じるとともに、前記複数の冷房バルブを全て開いた状態で圧縮器を駆動し、
前記複数の暖房バルブの中で一つの暖房バルブを開く一方で、該暖房バルブとセットをなす冷房バルブを閉じ、
前記複数の熱交換器側で測定された温度の変化量が基準範囲以上である室内機が、開閉状態を変更した暖房バルブ及び冷房バルブセットとマッチングされた室内機であれば、前記室内機と前記暖房バルブ及び冷房バルブセット間の配管は正常連結されたと判断することを特徴とするマルチエアコンシステムの配管連結点検方法。
【請求項４】
前記複数の熱交換器側で測定された温度の変化量が基準範囲以上である室内機が、開閉状態を変更した暖房バルブ及び冷房バルブセットとマッチングされた室内機でない他の室内機であれば、前記室内機と前記暖房バルブ及び冷房バルブセット間の配管は誤って連結されたと判断することを特徴とする請求項３に記載のマルチエアコンシステムの配管連結点検方法。
【請求項５】
前記複数の室内機の熱交換器側で測定された温度は、前記複数の室内機と前記冷暖房切換機とを連結する配管に設置された温度センサーで測定された温度であることを特徴とする請求項３に記載のマルチエアコンシステムの配管連結点検方法。
【請求項６】
前記熱交換器側の温度は、前記暖房バルブ及び冷房バルブセットの開閉状態を変更する前後に各々測定することを特徴とする請求項５に記載のマルチエアコンシステムの配管連結点検方法。
【請求項７】
前記熱交換器で測定された温度の変化量は、前記熱交換器で測定された温度の上昇量であることを特徴とする請求項３に記載のマルチエアコンシステムの配管連結点検方法。
【請求項８】
前記配管連結点検は、複数の暖房バルブ及び冷房バルブセット全体に対して順次的に遂行されることを特徴とする請求項３に記載のマルチエアコンシステムの配管連結点検方法。
【請求項９】
複数の室内機と、室外機から伝えられた冷媒を前記室内機に供給したり、前記室内機から排出された冷媒を前記室外機に送る複数の冷媒配管と、前記冷媒配管の流れを調節し、前記室内機の冷房運転時に開く複数の冷房バルブ及び前記室内機の暖房運転時に開く複数の暖房バルブを持つ冷暖房切換機とを含むマルチエアコンシステムの配管連結点検方法であって、
前記複数の冷房バルブを全て閉じるとともに、前記複数の暖房バルブを全て開いた状態で圧縮器を駆動し、
前記複数の冷房バルブの中で一つの冷房バルブを開放する一方で、前記冷房バルブとセットをなす暖房バルブを閉じ、
前記複数の熱交換器側で測定された温度の変化量が基準範囲以上である室内機が、開閉状態を変更した暖房バルブ及び冷房バルブセットとマッチングされた室内機であれば、前記室内機と前記暖房バルブ及び冷房バルブセット間の配管は正常連結されたと判断することを特徴とするマルチエアコンシステムの配管連結点検方法。
【請求項１０】
前記複数の熱交換器側で測定された温度の変化量が基準範囲以上である室内機が、開閉状態を変更した暖房バルブ及び冷房バルブセットとマッチングされた室内機でない他の室内機であれば、前記室内機と前記暖房バルブ及び冷房バルブセット間の配管は誤って連結されたと判断することを特徴とする請求項９に記載のマルチエアコンシステムの配管連結点検方法。
【請求項１１】
前記複数の室内機の熱交換器側で測定された温度は、前記複数の室内機と前記冷暖房切換機を連結する配管に設置された温度センサーで測定された温度であることを特徴とする請求項９に記載のマルチエアコンシステムの配管連結点検方法。
【請求項１２】
前記熱交換器側の温度は、前記暖房バルブ及び冷房バルブセットの開閉状態を変更する前後に各々測定することを特徴とする請求項１１に記載のマルチエアコンシステムの配管連結点検方法。
【請求項１３】
前記熱交換器で測定された温度の変化量は、前記熱交換器で測定された温度の下降量であることを特徴とする請求項９に記載のマルチエアコンシステムの配管連結点検方法。
【請求項１４】
前記配管連結点検は、複数の暖房バルブ及び冷房バルブセット全体に対して順次的に遂行されることを特徴とする請求項９に記載のマルチエアコンシステムの配管連結点検方法。
【請求項１５】
複数の室内機と、
室外機から伝えられた冷媒を前記室内機に供給したり、前記室内機から排出された冷媒を前記室外機に送る複数の冷媒配管と、
前記冷媒配管の流れを調節し、前記室内機の冷房運転時に開く複数の冷房バルブと前記室内機の暖房運転時に開く複数の暖房バルブとを持つ冷暖房切換機と、
前記複数の室内機の熱交換器側温度を測定する複数の温度センサーと、
前記複数の室内機の中から一つの室内機に流れる冷媒を調節する暖房バルブ及び冷房バルブセットの開閉状態変更によって温度が変化する室内機を確認することによって、前記暖房バルブ及び冷房バルブセットと前記一つの室内機との配管連結状態を点検する制御部とを含むことを特徴とするマルチエアコンシステム。
【発明の詳細な説明】
【技術分野】
【０００１】
本発明は、マルチエアコンシステム及びマルチエアコンシステムの配管連結点検方法に関し、より詳細には、マルチエアコンシステムの冷媒配管が正常に連結されているかを点検するマルチエアコンシステム及びマルチエアコンシステムの配管連結点検方法に関する。
【背景技術】
【０００２】
一般に、マルチエアコンシステムは、室外機と、該室外機に並列連結された複数の室内機と、室外機及び室内機を互いに連結する通信線、電源線及び冷媒配管と、冷媒配管に設置された電動バルブとを含む。
【０００３】
かかる従来のマルチエアコンシステムは、最初のシステム設置に際し、設置者が室外機と複数の室内機を通信線、電源線及び冷媒配管で連結し、各室内機に設けられた入力手段(例えば、ロータリスイッチ)を使って各室内機に連結された冷媒配管番号を入力し、これにより、室外機マイコンまたは室内機マイコンは、各室内機に連結された冷媒配管の番号を認識する構造となっていた。しかしながら、従来のマルチエアコンシステムは、冷媒配管及び各冷媒配管に複数の室内機が連結されるがために、設置者が入力手段を介して入力したままに冷媒配管と複数の室内機が連結されたか否かを確認し難い、という問題点があった。
【０００４】
この種の問題点を解決するために、マルチエアコンシステムの設置後に、複数の冷媒配管に連結された室内機を確認しうる方法が提示されたが、その一例が特許文献１に詳細に開示されている。
【０００５】
このマルチエアコンシステムでは、各室内機に連結された冷媒配管を確認するために圧縮器を駆動させた状態で複数の冷媒配管に設置された電動バルブのうち一つだけを開き、この開いた電動バルブの設置された冷媒配管に連結された室内機の温度変化をモニタリングし、この温度変化に基づいて開いた電動バルブの設置された冷媒配管と室内機間の対応関係を確認するし、このプロセスを繰り返し行うことによって全体冷媒配管の連結関係を確認する。
【０００６】
しかしながら、この種の従来のマルチエアコンシステムの配管点検方法は、開いた電動バルブの設置された冷媒配管に連結される室内機の温度変化が遅いために、検査すべき室内機が多い場合には配管点検に長時間がかかる、という問題点があった。
【０００７】
しかも、開いた電動バルブの設置された冷媒配管に連結された室内機の温度変化が大きくない場合には、配管点検の信頼性が劣る、という問題点もあった。
【特許文献１】大韓民国公開特許公報特１９９１−０８３４９号
【発明の開示】
【発明が解決しようとする課題】
【０００８】
本発明は、上記事情に鑑みてなされたものであり、その目的は、速かに配管点検ができるマルチエアコンシステム及びマルチエアコンシステムの配管連結点検方法を提供することにある。
【０００９】
本発明の他の目的は、配管点検の信頼性が高められるマルチエアコンシステム及びマルチエアコンシステムの配管連結点検方法を提供することにある。
【課題を解決するための手段】
【００１０】
上記の目的を達成するための本発明は、複数の室内機と、該複数の室内機に流れる冷媒を調節する複数の暖房バルブ及び冷房バルブセットを持つ冷暖房切換機とを含むマルチエアコンシステムであって、システムの運転中に前記複数の暖房バルブ及び冷房バルブセットの中で一つの暖房バルブ及び冷房バルブセットの開閉状態を変更させ、前記開閉状態の変更に応じて熱交換器側の温度が変わる室内機を確認し、前記温度が変わる室内機が前記一つの暖房バルブ及び冷房バルブセットとマッチングされた室内機であれば、前記温度が変わる室内機は、前記一つの暖房バルブ及び冷房バルブセットと正常に連結されたものと判断することを特徴とする。
【発明の効果】
【００１１】
本発明によれば、暖房バルブ及び冷房バルブセットの開閉状態を変更する前後の温度変化を用いて配管連結を点検するので、温度変化時間が速まり、結果として配管連結を迅速に点検することが可能になる。
【００１２】
また、暖房バルブ及び冷房バルブセットの開閉状態を変更する前後の温度変化量が大きいために容易に温度変化の有無が判断されるので、配管連結点検の信頼性を高めることが可能となる。
【発明を実施するための最良の形態】
【００１３】
以下、本発明の好ましい実施形態について、添付図面を参照しつつ詳細に説明する。図１に示すように、本発明によるマルチエアコンシステムは、室外機１０、室外機１０に並列連結された第１ないし第４室内機２０ａ〜２０ｄ、及び各室内機２０ａ〜２０ｄの運転モードを冷房モードまたは暖房モードに切り換えるための冷暖房切換機３０を含む。
【００１４】
室外機１０は、圧縮器１１から吐出された冷媒の流れ方向を決定する四方バルブ１２、室外機１０に流入した室外空気により熱交換を遂行する室外熱交換器１３、冷媒を膨脹させる室外電動バルブ１４、気体状態と液体状態の冷媒を互いに分離するためのレシーバタンク１５、及びアキュムレータ１６を備え、各室内機２０ａ〜２０ｄと室外機１０は、高圧ガス管１７、低圧ガス管１８及び高圧液管１９を通して互に冷媒を伝達する。
【００１５】
また、室外機１０では、低圧ガス管１８がアキュムレータ１６を介して圧縮器１１の吸入側に接続され、室外熱交換器１３と室外電動バルブ１４は直列に接続され、室外電動バルブ１４に高圧液管１９がレシーバタンク１５を介して接続されている。また、室外電動バルブ１４には流量調整バルブとして機能するバイパスバルブ４１ａが逆止バルブ４１ｂと共に並列に接続されて、冷房運転時には室外熱交換器１３からの液冷媒がバイパスバルブ４１ａ及び逆止バルブ４１ｂに流れるようにし、暖房運転時にはバイパスバルブ４１ａが閉じられて冷媒が室外電動バルブ１４に流れるようにする。
【００１６】
四方バルブ１２と高圧液管１９との間では、高圧ガス管１７から高圧分岐管４２が分岐され、高圧分岐管４２には、開閉バルブとして機能する電子バルブ４３ａと、高圧ガス管１７側からの冷媒の逆流を防止する逆止バルブ４３ｂとが設置されている。また、四方バルブ１２と高圧ガス管１７との間には、冷媒の逆流を防止する他の逆止バルブ４４が設置されている。
【００１７】
第１ないし第４室内機２０ａ〜２０ｄは、第１ないし第４室内熱交換器２１ａ〜２１ｄと、第１ないし第４室内熱交換器２１ａ〜２１ｄに直列連結された第１ないし第４室内電動バルブ２２ａ〜２２ｄと、各室内機２０ａ〜２０ｄと冷暖房切換機３０との間に設置された第１ないし第４温度センサー３７ａ〜３７ｄと、を含む。
【００１８】
冷暖房切換機３０は、高圧ガス管１７から分岐された第１ないし第４高圧ガス分岐管３３ａ〜３３ｄに設置された第１ないし第４暖房バルブ３１ａ〜３１ｄと、低圧ガス管１８から分岐された第１ないし第４低圧ガス分岐管３４ａ〜３４ｄに設置された第１ないし第４冷房バルブ３２ａ〜３２ｄと、を含む。また、第１暖房バルブ及び冷房バルブセットは、第１室内熱交換器２０ａと連結された第１冷媒配管３５ａに連結され、これと同様に、第２ないし第４暖房バルブ及び冷房バルブセットは順次的に第２ないし第４冷媒配管３５ｂ，３５ｃ，３５ｄにそれぞれ連結される。
【００１９】
図２に示すように、本発明に従うマルチエアコンシステムで、室外機１０は、図１に示した装置に加えて、室外機１０の各装置を制御する室外機マイコン２３をさらに含む。
【００２０】
また、第１ないし第４室内機２０ａ〜２０ｄは、各室内機の装置を制御する第１ないし第４室内機マイコン３６ａ〜３６ｄをさらに含む。
【００２１】
また、冷暖房切換機３０は、第１ないし第４冷房バルブ３２ａ〜３２ｄ及び第１ないし第４暖房バルブ３１ａ〜３１ｄを制御する冷暖房切換機マイコン３８をさらに含む。
【００２２】
次に、図３を参照して、図１及び図２に示したマルチエアコンシステムの第１実施形態に従う動作を説明する。マルチエアコンシステムの設置にあたり、設置者は、室外機１０、複数の室内機２０ａ〜２０ｄ、及び冷暖房切換機３０を配管を介して連結し、入力手段を介して各室内機２０ａ〜２０ｄに連結された冷暖房切換機３０の分岐口(図示せず)番号を入力する。
【００２３】
このとき、分岐口は、室内機２０ａ〜２０ｄと冷暖房切換機３００内部の暖房バルブ及び冷房バルブセットとを連結する配管が通過するように、冷暖房切換機３０のケースに穿設された穴であり、分岐口の番号は、該当の分岐口を通過する配管の番号及びその配管に連結された暖房バルブ及び冷房バルブセットの番号と一致する。例えば、１番の室内機が連結された分岐口が第１分岐口なら、第１分岐口を通過する配管は第１配管であり、第１配管に連結されたバルブは第１暖房バルブ及び第１冷房バルブである。
【００２４】
また、上述の入力手段には様々なものが使用可能であるが、例えば、各室内機にロータリスイッチを設置し、ロータリスイッチで該当の室内機が連結された分岐口の番号を表示するようにし、これにより、室内機のマイコンが該当の室内機の連結された分岐口の番号(すなわち、暖房バルブ及び冷房バルブセットの番号、配管の番号)を把握できるようにする。また、室内機マイコンが、該当の室内機の連結された分岐口の番号を把握すれば、冷暖房切換機マイコンとデータ通信をして冷暖房切換機マイコンに各暖房バルブ及び冷房バルブセットに連結された室内機の住所を知らせる。本実施形態では、第１暖房バルブ及び冷房バルブセットに第１室内機２０ａが連結されたものと入力し、第２ないし第４暖房バルブ及び冷房バルブセットに順次的に第２ないし第４室内機２０ｂ，２０ｃ，２０ｄが連結されたものと入力したと仮定する。
【００２５】
冷暖房切換機３０の各バルブと各室内機間の連結関係に対する入力が完了すれば、全室内機２０ａ〜２０ｄを冷房モードにおいて運転せしめながら(ステップ５０)、冷暖房切換機３０の暖房バルブ３１ａ〜３１ｄを全て閉じる一方で、冷暖房切換機３０の冷房バルブ３２ａ〜３２ｄを全て開放する(ステップ５２)。
【００２６】
そして、各温度センサー３７ａ〜３７ｄで、各室内機熱交換器近傍の温度を測定しながら測定される温度が安定化するまで待機する(ステップ５４)。熱交換器温度センサー３７ａ〜３７ｄで測定される温度が安定化すれば、冷暖房切換機マイコン３８ａは、第１暖房バルブ３１ａを開く一方で、第１冷房バルブ３２ａを閉じる(ステップ５６、ステップ５８)。
【００２７】
第１暖房バルブ及び冷房バルブセットの開閉状態を変更させて所定時間が経過すれば、各温度センサー３７ａ〜３７ｄの測定値を確認して第１室内機熱交換器２１ａ近傍の温度上昇量を計算する(ステップ６０)。ここで、所定時間は、システムによって異なってもよく、温度上昇が十分に感知され得るような時間と設定することが好ましい。
【００２８】
上述したように、第１冷房バルブ３２ａを介して低温低圧の液冷媒を第１暖房バルブ及び冷房バルブセットに連結された室内機に供給してから第１冷房バルブ３２ａを閉じ、第１暖房バルブ３１ａを介して高温高圧のガス冷媒を第１暖房バルブ及び冷房バルブセットに連結された室内機に供給する場合、冷媒の温度差が大きいために温度センサー３７ａ〜３７ｄで感知される温度変化量も大きくなり、結果として、温度変化の有無を容易に把握することが可能になる。
【００２９】
続いて、温度が基準範囲以上と上昇した室内機が第１室内機２０ａであるか判断し(ステップ６２)、第１室内機２０ａの温度が基準範囲以上と上昇した場合は、第１室内機２０ａと第１暖房バルブ及び冷房バルブセット間の配管連結が正常になされたと判断する(ステップ６４)。このとき、基準範囲は、バルブの開閉状態変更でない他の要因により温度が上昇する場合を判断から排除するために用意したものであり、実験により適宜の値を選択すればいい。
【００３０】
第１室内機２０ａと第１暖房バルブ及び冷房バルブセット間の配管連結が正常になされたと判断すると、全ての連結関係に対する点検が完了したか否か判断し(ステップ６６)、全ての点検が完了しなかった場合は、次の暖房バルブ及び冷房バルブセットの開閉状態を変更して配管連結を点検する(ステップ６８)。
【００３１】
もし、ステップ６２で、温度が基準範囲以上と上昇した室内機が第１室内機２０ａでなければ、第１室内機２０ａと第１暖房バルブ及び冷房バルブセット間の配管連結が誤っていると判断し、ディスプレイ部(図示せず)に警告表示をする(ステップ７２)。
【００３２】
ここで、第１室内機２０ａと第１暖房バルブ及び冷房バルブセット間の配管連結が誤っている場合とは、設置者がマッチングした第１室内機２０ａと第１暖房バルブ及び冷房バルブセットが配管連結されているのではなく、第１暖房バルブ及び冷房バルブセットに他の室内機が連結された場合のことをいう。
【００３３】
次に、図４を参照して、図１及び図２に示したマルチエアコンシステムの第２実施形態に従う動作を説明する。
【００３４】
マルチエアコンシステムの設置にあたり、設置者は、室外機１０、複数の室内機２０ａ〜２０ｄ及び冷暖房切換機３０とを配管を介して連結し、入力手段を使って各室内機２０ａ〜２０ｄに連結された冷暖房切換機３０の分岐口番号(すなわち、該当の分岐口に関連する暖房バルブ及び冷房バルブセットの番号)を入力する。
【００３５】
冷暖房切換機３０の各バルブと各室内機２０ａ〜２０ｄ間の連結関係に対する入力が完了すれば、全ての室内機２０ａ〜２０ｄを暖房モードにおいて運転せしめながら(ステップ８０)、冷暖房切換機３０の冷房バルブ３２ａ〜３２ｄを全て閉じる一方で、冷暖房切換機３０の暖房バルブ３１ａ〜３１ｄを全て開く(ステップ８２)。
【００３６】
そして、各温度センサー３７ａ〜３７ｄで各室内機熱交換器近傍の温度を測定しながら測定される温度が安定化するまで待機する(ステップ８４)。熱交換器温度センサー３７ａ〜３７ｄで測定される温度が安定化すれば、冷暖房切換機マイコン３８は、第１冷房バルブ３２ａを開く一方で、第１暖房バルブ３１ａを閉じる(ステップ８８)。
【００３７】
第１暖房バルブ及び冷房バルブセットの開閉状態を変更して所定時間が経過すれば、各温度センサー３７ａ〜３７ｄの測定値を確認して第１室内機熱交換器近傍の降温量を計算する(ステップ９０)。ここで、所定時間は、システムによって異なってもよく、温度下降が十分に感知され得るような時間と設定すると好ましい。
【００３８】
上述したように、第１暖房バルブ３１ａを介して高温高圧のガス冷媒を第１暖房バルブ及び冷房バルブセットに連結された室内機に供給してから第１暖房バルブを閉じ、第１冷房バルブを介して低温低圧の液冷媒を第１暖房バルブ及び冷房バルブセットに連結された室内機に供給する場合、冷媒の温度差が大きいために温度センサーで感知される温度変化量も大きくなり、結果として、温度変化の有無も容易に把握することが可能になる。
【００３９】
続いて、温度が基準範囲以上と下降した室内機が第１室内機２０ａであるか判断し(ステップ９２)、第１室内機２０ａの温度が基準範囲以上と下降した場合には、第１室内機２０ａと第１暖房バルブ及び冷房バルブセット間の配管連結が正常になされたと判断する(ステップ９４)。このとき、基準範囲は、バルブの開閉状態変更でない他の要因により温度が下降する場合を判断から排除するために用意したものであり、実験により適宜の値を選択すればいい。
【００４０】
第１室内機２０ａと第１暖房バルブ及び冷房バルブセット間の配管連結が正常になされたと判断されると、全ての連結関係に対する点検が完了したか否か判断し(ステップ９６)、全ての点検が完了しなかった場合には、次の暖房バルブ及び冷房バルブセットの開閉状態を変更して配管連結を点検する(ステップ９８)。
【００４１】
もし、ステップ９２で、温度が基準範囲以上と下降した室内機が第１室内機２０ａでなければ、第１室内機２０ａと第１暖房バルブ及び冷房バルブセット間の配管連結が誤っていると判断し、ディスプレイ部に警告表示をする(ステップ１００、ステップ１０２)。
【００４２】
ここで、第１室内機２０ａと第１暖房バルブ及び冷房バルブセット間の配管連結が誤っている場合とは、設置者がマッチングした第１室内機２０ａと第１暖房バルブ及び冷房バルブセットとが配管連結されるのではなく、第１暖房バルブ及び冷房バルブセットに他の室内機が連結された場合のことをいう。
【図面の簡単な説明】
【００４３】
【図１】本発明によるマルチエアコンシステムの冷媒流路を示す図である。
【図２】図１に示したマルチエアコンシステムのブロック図である。
【図３】図１及び図２に示したマルチエアコンシステムの第１の実施形態に従う動作を示す流れ図である。
【図４】図１及び図２に示したマルチエアコンシステムの第２の実施形態に従う動作を示す流れ図である。
【符号の説明】
【００４４】
１０    室外機
１１    圧縮器
１２    四方バルブ
１３    室外熱交換器
１４    室外電動バルブ
１５    レシーバタンク
１６    アキュムレータ
１７    高圧ガス管
１８    低圧ガス管
１９    高圧液管
２０ａ〜２０ｄ  第１ないし第４室内機
２１ａ〜２１ｄ  第１ないし第４室内熱交換器
２２ａ〜２２ｄ  第１ないし第４室内電動バルブ
２３    室外機マイコン
３１ａ〜３１ｄ  第１ないし第４暖房バルブ
３２ａ〜３２ｄ  第１ないし第４冷房バルブ
３３ａ〜３３ｄ  第１ないし第４高圧ガス分岐管
３４ａ〜３４ｄ  第１ないし第４低圧ガス分岐管
３５ａ〜３５ｄ  第１ないし第４冷媒配管
３７ａ〜３７ｄ  第１ないし第４温度センサー
３８    冷暖房切換機マイコン
【図１】
2006057993.tif 000003
【図２】
2006057993.tif 000004
【図３】
2006057993.tif 000005
【図４】
2006057993.tif 000006